(57)【特許請求の範囲】
【請求項１】
ロール状シートを所要量引き出して切断可能とする多面体のロール状シート収納箱において、
ロール状シートを収納する収納部と、該収納部の天面に設けられて該収納部からシートを引き出すためのシート引き出し口と、該シート引き出し口から引き出されたシートを切断するシート切断部とを有し、
該シート引き出し口を挟んで相対するフラップを有し、
該相対するフラップは、天面板の一部を折返したフラップと、背面板に設けた罫線に沿って形成されるヒンジで折り曲げて形成された蓋フラップからなり、シートを該折り返しフラップの上面と蓋フラップの下面とにより面によって挟んで引き出し可能とし、
蓋フラップのエッジにシート切断部を有し、
蓋フラップに連結した左右のサイドフラップを箱内に差し込み、該蓋フラップを天面板に対し一定の傾角に維持可能にしたことを特徴とするロール状シート収納箱。
【請求項２】
前記収納箱が天面板、正面板、底面板、背面板、左右の端面板、蓋フラップを罫線を介して連結し、蓋フラップはサイドフラップを備え、天面板は折り返しフラップ、サイドフラップを備え、底面板はサイドフラップを備え、端面板は差し込みフラップを備え、
底面板の上にロール状シートを載せ、底面板の左右のサイドフラップを折り曲げ、
正面板、天面板を折り曲げ、天面板の左右のサイドフラップを折り曲げ、天面板の折り返しフラップを折り返し、
蓋フラップの左右のサイドフラップを折り曲げ、蓋フラップを曲げ起こし、
背面板を曲げ起こし、蓋フラップの左右のサイドフラップを挟持するように、背面板の左右の端面板を折り曲げ、それら端面板の差し込みフラップを箱内に差し込み固定する組立て手順により形成された請求項１に記載のロール状シート収納箱。
【請求項３】
前記蓋フラップに波形曲線状のミシン目を介して補強フラップが結合され、補強フラップをこのミシン目で折り曲げて蓋フラップに貼合せ、この貼合せ後のミシン目をシート切断部とする請求１又は２に記載のロール状シート収納箱。
【発明の詳細な説明】
【０００１】
【発明の属する技術分野】
本発明は、タオルペーパー等のロール状シート収納箱に関する。
【０００２】
【従来の技術】
従来、ロール状シートを所要量引き出して切断可能とする多面体のロール状シート収納箱として、実登録第301483号のものがある。この収納箱は、ロール状シートを収納する収納部と、該収納部の天面に設けられて該収納箱からシートを引き出すためのシート引き出し口と、該シート引き出し口から引き出されたシートを切断するシート切断部とを有している。
【０００３】
【発明が解決しようとする課題】
然しながら、従来技術には以下の如くの問題点がある。
即ち、天面のシート引き出し口の形状にシート保持機能がない。従って、所要量のシートを引き出して切断した後、ロールが巻き戻ってしまい、次使用分のシートの先端部を保持できず、使用性が悪い。
【０００４】
本発明の課題は、ロール状シート収納箱において、シートをシート引き出し口に保持可能とし、使用性を向上することにある。
【０００５】
【課題を解決するための手段】
請求項１に記載の本発明は、ロール状シートを所要量引き出して切断可能とする多面体のロール状シート収納箱において、ロール状シートを収納する収納部と、該収納部の天面に設けられて該収納部からシートを引き出すためのシート引き出し口と、該シート引き出し口から引き出されたシートを切断するシート切断部とを有し、該シート引き出し口を挟んで相対するフラップを有し、該相対するフラップは、天面板の一部を折返したフラップと、背面板に設けた罫線に沿って形成されるヒンジで折り曲げて形成された蓋フラップからなり、シートを該折り返しフラップの上面と蓋フラップの下面とにより面によって挟んで引き出し可能とし、蓋フラップのエッジにシート切断部を有し、蓋フラップに連結した左右のサイドフラップを箱内に差し込み、該蓋フラップを天面板に対し一定の傾角に維持可能にしたものである。
【００１１】
【発明の実施の形態】
図１は第１実施形態に係る収納箱の開封前状態を示す模式図、図２は収納箱からのシート引き出し状態を示す模式図、図３は収納箱の展開図、図４は補強フラップ貼合せ工程を示す模式図、図５はロールセット工程を示す模式図、図６は正面板と天面板の折り曲げ工程を示す模式図、図７は折り返しフラップの折り曲げ工程を示す模式図、図８は蓋フラップの折り曲げ工程を示す模式図、図９は端面板の差し込み工程を示す模式図、図１０は第２実施形態に係る収納箱の開封前状態を示す模式図、図１１は収納箱の展開図、図１２は筒状箱形成工程を示す模式図、図１３はロールセット工程を示す模式図、図１４は端面板の差し込み工程を示す模式図、図１５は組立完了状態を示す模式図、図１６は収納箱からのシート引き出し状態を示す模式図、図１７はシート保持状態を示す模式図、図１８はシート引き出し口の変形例を示す模式図である。
【００１２】
（第１実施形態）（図１〜図９）
ロール状シート収納箱１０は、図１〜図３に示す如く、例えばタオルペーパーのロール状シート１を所要量引き出して切断し、切断されたシート１を清掃等に供することを可能とするものである。
【００１３】
収納箱１０は、図３に示す如く、天面板１１、正面板１２、底面板１３、背面板１４、背面板１４の両側に連結した左右の端面板１５、１６、端面板１５、１６に連結した左右の差し込みフラップ１５Ａ、１６Ａ、背面板１４に連結した蓋フラップ１７、蓋フラップ１７に連結した補強フラップ１７Ａ、蓋フラップ１７に連結した左右のサイドフラップ１７Ｂ、１７Ｂ、天面板１１に連結した折り返しフラップ１１Ａ、天面板１１に連結した左右のサイドフラップ１１Ｂ、１１Ｂ、底面板１３に連結した左右のサイドフラップ１３Ａ、１３Ａを備えた、板紙製直方六面体である。
【００１４】
収納箱１０は、ロール状シート１を収納する収納部２１と、収納部２１の天面に設けられて収納部２１からシート１を引き出すためのシート引き出し口２２と、シート引き出し口２２を開閉する前述の蓋フラップ１７と、蓋フラップ１７のエッジに形成されたシート１を切断する鋸歯状（波形曲線状）シート切断部２３とを有している。尚、シート引き出し口２２は、収納部２１に収納されたシート１の幅方向に沿う該収納部２１の全幅に渡って設けられる。
【００１５】
然るに、収納箱１０は、下記(1) 〜(4) の特徴点を具備する。
(1) シート引き出し口２２が、天面板１１の一部を折返した折り返しフラップ１１Ａと、天面板１１を覆う蓋フラップ１７（蓋フラップ１７は左右のサイドフラップ１７Ｂ、１７Ｂを箱内に差し込み、天面板１１に対し一定の傾角θ（図２）を維持される）との間に形成される（図２）。このとき、折り返しフラップ１１Ａは折り返し前状態への弾発的な上向き復帰習性を備える。これにより、シート１は、折り返しフラップ１１Ａの上面と蓋フラップ１７の下面とに挟まれて、摺動抵抗を付与されながら引き出し可能とされる。また、引き出し切断後のシート１の先端部は、これらの折り返しフラップ１１Ａ、蓋フラップ１７に挟まれて保持される。
【００１６】
(2) 収納部２１を手組みにより開閉可能としている。即ち、収納箱１０は、後述する組立順序で組立てられ、天面板１１、正面板１２、底面板１３、背面板１４、左右の端面板１５、１６、蓋フラップ１７を接着剤を用いずに差し込み組立可能としている。これにより、収納箱１０は、例えば背面板１４、蓋フラップ１７を繰り返し差し込み開閉することにより、新旧ロール１Ａを簡易に詰め替え可能としている。
【００１７】
(3) 前述の蓋フラップ１７のシート切断部２３形成部分回りに補強フラップ１７Ａを貼合せてある。即ち、蓋フラップ１７は、背面板１４に設けた罫線に沿って形成されるヒンジ３１で折り曲げることにより形成される。また、蓋フラップ１７には波形曲線状（鋸歯状）のミシン目３２を介して補強フラップ１７Ａが結合されており、接着剤を塗布された補強フラップ１７Ａをこのミシン目３２で折り曲げて蓋フラップ１７に貼合せ、この貼合せ後のミシン目３２を上述のシート切断部２３とするとともに、このシート切断部２３形成部分を補強フラップ１７Ａにより補強することとしている。シート切断部２３は、鋸刃状をなす山部２３Ａと谷部２３Ｂを備える。
【００１８】
(4) 蓋フラップ１７のシート切断部２３の中央部に摘み用凹部３３が切欠き形成される。摘み用凹部３３は、蓋フラップ１７の裏側に存在する、引き出されたシート１の先端部をあらわにし、これを次引き出しのために容易に摘み出し可能とする。
【００１９】
収納箱１０は以下の如くに使用される。
(1) ロール状シート１の先端部を、収納部２１から、折り返しフラップ１１Ａと蓋フラップ１７との間に形成されるシート引き出し口２２から引き出す（図２）。
【００２０】
(2) 上記(1) によりシート１を所要量引き出した後、引き出されたシート１の先端部を上に引き上げて該シート１の先端部からの所要長さ部位をシート切断部２３に押し当てて切断する。
【００２１】
(3) 次使用時には、シート１の先端部を蓋フラップ１７の摘み用凹部３３に表われている部分から摘み出し可能とする。
【００２２】
以下、収納箱１０の組立工程について説明する。
収納箱１０は、前述の如く、天面板１１、正面板１２、底面板１３、背面板１４、左右の端面板１５、１６、蓋フラップ１７を罫線（図３の破線）を介して連結している。蓋フラップ１７は前述の如くに補強フラップ１７Ａ、サイドフラップ１７Ｂを備え、天面板１１は前述の如くに折り返しフラップ１１Ａ、サイドフラップ１１Ｂを備え、底面板１３は前述の如くにサイドフラップ１３Ａを備え、端面板１５、１６は前述の如くに差し込みフラップ１５Ａ、１６Ａを備えている。
【００２３】
然るに、収納箱１０は、以下の如くに組立てられる。
(1) 補強フラップ１７Ａの図３に示した斜線部に接着剤を塗布し、蓋フラップ１７のシート切断部２３形成部分回りに補強フラップ１７Ａを貼合せる（図４）。
【００２４】
(2) 底面板１３の上にロール１Ａを載せ（図４）、底面板１３の左右のサイドフラップ１３Ａを折り曲げる（図５）。
【００２５】
(3) 正面板１２、天面板１１を折り曲げ、天面板１１の左右のサイドフラップ１１Ｂを折り曲げ、天面板１１の折り返しフラップ１１Ａを折り返す（図６）。
【００２６】
(4) 蓋フラップ１７の左右のサイドフラップ１７Ｂを折り曲げ、蓋フラップ１７を曲げ起こす（図７、図８）。
【００２７】
(5) 背面板１４を曲げ起こし、蓋フラップ１７の左右のサイドフラップ１７Ｂを挟持するように、背面板１４の左右の端面板１５、１６を折り曲げ、それら端面板１５、１６の差し込みフラップ１５Ａ、１６Ａを箱内に差し込み固定し、図９の組立完了状態とする。
【００２８】
以下、本実施形態の作用について説明する。
▲１▼シート引き出し口２２に相対するフラップ１１Ａ、１７を設け、シートをこれらの相対するフラップ１１Ａ、１７に挟んで引き出し可能とした。従って、所要量のシートを引き出して切断した後、次使用分のシートの先端部は、これらの相対するフラップ１１Ａ、１７に挟まれて保持され、ロールの巻き戻りや過剰な引き出しを生ずることがない。即ち、次使用分のシートを取出し易く、使用性を向上できる。
【００２９】
▲２▼シートを折り返しフラップ１１Ａと蓋フラップ１７の相対する面の間に挟んで該シートに摺動抵抗を与えることにより、シートを確実に保持できる。
【００３０】
尚、収納箱１０にあっては、蓋フラップ１７の左右のサイドフラップ１７Ｂが左右の端面板１５、１６により挟持される。従って、シート引き出し口２２を蓋フラップ１７により安定的に確実に封止でき、不使用時の衛生（収納部２１Ａの異物侵入防止）、外観（蓋フラップ１７の無秩序な半開きの防止）を向上できる。
【００３１】
また、収納箱１０にあっては、ロール状シート１の紙管に嵌入してロール状シート１を引き出し回転可能に支持する支持片を両端面に備えるものであっても良い。
【００５１】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００５２】
【発明の効果】
以上のように本発明によれば、ロール状シート収納箱において、シートをシート引き出し口に保持可能とし、使用性を向上することができる。
【図面の簡単な説明】
【図１】  図１は第１実施形態に係る収納箱の開封前状態を示す模式図である。
【図２】  図２は収納箱からのシート引き出し状態を示す模式図である。
【図３】  図３は収納箱の展開図である。
【図４】  図４は補強フラップ貼合せ工程を示す模式図である。
【図５】  図５はロールセット工程を示す模式図である。
【図６】  図６は正面板と天面板の折り曲げ工程を示す模式図である。
【図７】  図７は折り返しフラップの折り曲げ工程を示す模式図である。
【図８】  図８は蓋フラップの折り曲げ工程を示す模式図である。
【図９】  図９は端面板の差し込み工程を示す模式図である。
【符号の説明】
１  ロール状シート
１０  ロール状シート収納箱
１１  天面板
１１Ａ  折り返しフラップ
１７  蓋フラップ
２１  収納部
２２  シート引き出し口
２３  シート切断部
【図１】
0003690549.tif 000002
【図２】
0003690549.tif 000003
【図３】
0003690549.tif 000004
【図４】
0003690549.tif 000005
【図５】
0003690549.tif 000006
【図６】
0003690549.tif 000007
【図７】
0003690549.tif 000008
【図８】
0003690549.tif 000009
【図９】
0003690549.tif 000010